(57)【要約】【課題】端子係止ランスとの間で安定した係止力（端子保持力）を確保することができる端子構造を提供する。【解決手段】コネクタハウジングのキャビティ内に設けられた端子係止ランス（図示破線）と係止される端子構造であって、内部に挿入されるオス端子タブと接触する接点３３，３４，３５を有した角筒状の箱部２１の上面板２５側に設けられ、前記端子係止ランスと係止される係止突起体３１を備え、前記係止突起体３１は、前記箱部２１の上面板２５よりも所定高さ高く延設された外側壁の端部から前記上面板２５に平行に配設され、前記端子係止ランスと当接する係止板２８と、前記係止板２８の所定領域を前記上面板２５方向に、上面板２５と当接するように所定距離打ち出して形成された打ち出し部３０とを有する。【選択図】図６
2013137949.tif 000002
【特許請求の範囲】
【請求項１】
コネクタハウジングのキャビティ内に設けられた端子係止ランスと係止される端子構造であって、
外側底面板、外側壁、上面板、前記外側底面板の内側に形成される内側底面板および前記外側壁の内側に形成される内側壁とを角筒状に構成し、内部に挿入されるオス端子タブと接触する接点を有した箱部と、前記箱部の上面板側に設けられ、前記端子係止ランスと係止される係止突起体を備え、
前記係止突起体は、前記箱部の上面板よりも所定高さ高く延設された外側壁の端部から前記上面板に平行に配設され、前記端子係止ランスと当接する係止板と、前記係止板を前記上面板と当接するように打ち出して形成された打ち出し部とを有していることを特徴とする端子構造。
【請求項２】
前記打ち出し部は、前記係止板の前記端子係止ランスと当接する側の端部を含めて打ち出されていることを特徴とする請求項１に記載の端子構造。
【発明の詳細な説明】
【技術分野】
【０００１】
本発明は、コネクタハウジングのキャビティ内に設けられた端子係止ランスと係止される端子構造に関する。
【背景技術】
【０００２】
従来、コネクタハウジングのキャビティ内に設けられた端子係止ランスと係止される端子構造としては、例えば下記特許文献１に記載のように、端子金具の壁部に打ち出しによって抜止め突起を形成し、この抜止め突起と前記端子係止ランスとを係止させることが提案されている。
【０００３】
図１２〜図１５は特許文献１に記載の端子金具およびコネクタを表しており、図１２は端子金具の側面図、図１３は端子金具の部分縦断面図、図１４は端子金具の横断面図、図１５はコネクタの断面図を各々示している。
【０００４】
これらの図において、端子金具は角筒状をなす箱部１と電線加締め部２を有している。箱部１は、上面壁３の左右両側縁から一対の側壁４，５が下向きに延出され、一方の側壁４の下端縁から下面壁６が水平方向に延出され、他方の側壁５の下端縁から補強壁７が水平方向に延出されて下面壁６の内面に重ね合わせられて構成されている。補強壁７の内側の面には接点８が形成され、該接点８と対向する部位にはバネ部９および接点１０が設けられている。
【０００５】
箱部１の内部に挿入されるオス端子タブを前記接点８と接点１０で挟むことによって、電気的接続が行われる。
【０００６】
前記下面壁６の幅方向中央部は打ち出し加工が施され、抜止め突起１１が下方へ突出するように形成されている。図１５に示すコネクタハウジング１２は合成樹脂材料からなり、その内部には図１２の端子金具が挿入されるキャビティ１３が形成されている。
【０００７】
キャビティ１３内には、端子金具挿入時に前記抜止め突起１１と係合係止される樹脂製の端子係止ランス１４が形成されている。この抜止め突起１１と端子係止ランス１４の係止作用によって、端子金具はキャビティ１３内に保持される。
【先行技術文献】
【特許文献】
【０００８】
【特許文献１】特開２００２−１９０３４２号公報
【発明の概要】
【発明が解決しようとする課題】
【０００９】
図１２〜図１５に記載の端子構造において、端子金具をキャビティ１３に係止保持する為の抜止め突起１１は打ち出し加工によって作成されているため、端子係止ランス１４との接触面積を確保することができず、端子保持力の低下が懸念される。
【００１０】
本発明は上記課題を解決するものであり、その目的は、端子係止ランスとの間で安定した係止力（端子保持力）を確保することができる端子構造を提供することにある。
【課題を解決するための手段】
【００１１】
上記課題を解決するための請求項１に記載の端子構造は、コネクタハウジングのキャビティ内に設けられた端子係止ランスと係止される端子構造であって、外側底面板、外側壁、上面板、前記外側底面板の内側に形成される内側底面板および前記外側壁の内側に形成される内側壁とを角筒状に構成し、内部に挿入されるオス端子タブと接触する接点を有した箱部と、前記箱部の上面板側に設けられ、前記端子係止ランスと係止される係止突起体を備え、前記係止突起体は、前記箱部の上面板よりも所定高さ高く延設された外側壁の端部から前記上面板に平行に配設され、前記端子係止ランスと当接する係止板と、前記係止板を前記上面板と当接するように打ち出して形成された打ち出し部とを有していることを特徴とする。
【００１２】
上記構成によれば、係止板を箱部の上面板と当接するように打ち出された打ち出し部の凸部によって、係止板が支えられ係止板の変形が抑制されるため、端子係止ランスとの間で安定した係止力（端子保持力）を確保することができる。
【００１３】
このため、係止板を箱部の上面板の幅方向に長く形成しても係止板が倒れることがなく、係止面積を増加させることができる。
【００１４】
また請求項２に記載の端子構造は、前記打ち出し部を、前記係止板の前記端子係止ランスと当接する側の端部を含めて打ち出して構成したことを特徴とする。
【００１５】
上記構成によれば、係止板における端子係止ランスとの当接面の面積は、打ち出し部の凸部の領域と、打ち出されていない領域と、前記凸部領域および打ち出されていない領域が連続している部分の領域との合計となるので、前記連続している部分の領域の分だけ係止面積が増加し、係止力が増加する。
【００１６】
また、打ち出し部の打ち出し距離を長く（すなわち凸部の高さを高く）することで、前記連続している部分の領域が増加し、より係止面積が増加して係止力が増加する。
【発明の効果】
【００１７】
（１）請求項１、２に記載の発明によれば、係止板を箱部の上面板と当接するように打ち出された打ち出し部の凸部によって、係止板が支えられ係止板の変形が抑制されるため、端子係止ランスとの間で安定した係止力（端子保持力）を確保することができる。
（２）請求項２に記載の発明によれば、端子係止ランスとの係止面積が増加することにより係止力が増加する。
【図面の簡単な説明】
【００１８】
【図１】本発明の一実施形態例の端子構造の斜視図。
【図２】本発明の一実施形態例の端子構造の箱部の断面を図示した斜視図。
【図３】本発明の一実施形態例の端子構造の箱部の展開図。
【図４】本発明の一実施形態例の端子構造の箱部の縦断面図。
【図５】本発明の一実施形態例の端子構造の箱部にオス端子タブが挿入された様子を示す縦断面図。
【図６】本発明の一実施形態例の端子構造の箱部と端子係止ランスの位置関係を表す縦断面図。
【図７】図６のＡ−Ａ断面矢視図。
【図８】図６のＢ−Ｂ断面矢視図。
【図９】本発明の他の実施形態例の端子構造の箱部の断面を図示した斜視図。
【図１０】本発明の他の実施形態例の端子構造の箱部と端子係止ランスの位置関係を表す縦断面図。
【図１１】図１０のＣ−Ｃ断面矢視図。
【図１２】従来の端子金具の一例を示す側面図。
【図１３】従来の端子金具の部分縦断面図。
【図１４】従来の端子金具の横断面図。
【図１５】従来のコネクタの一例を示す断面図。
【発明を実施するための形態】
【００１９】
以下、図面を参照しながら本発明の実施の形態を説明するが、本発明は下記の実施形態例に限定されるものではない。本実施形態は、図１５に示すコネクタハウジング１２のキャビティ１３に設けられた端子係止ランスと係止される端子構造（端子金具）に適用したものであり、図１〜図８は一実施形態例を示し、図９〜図１１は他の実施形態例を示している。
【００２０】
図１は本発明の端子構造の実施形態であるメス端子２０の斜視図を示している。メス端子２０はオス端子タブが挿入される角筒状の箱部２１と該箱部２１に連続して形成された電線加締め部２２を有している。
【００２１】
箱部２１の、電線加締め部２２とのつなぎ部分で切断した断面を示す斜視図である図２、展開図である図３および縦断面を示す図４において、２３は外側底面板である。
【００２２】
この外側底面板２３の横方向両側端から一対の外側壁２４ａ，２４ｂが上向きに延出され、一方の外側壁２４ａの上端縁から上面板２５が水平方向に延出され、該上面板２５の外側壁２４ｂ側の端部からは内側壁２６が下向きに延出され、該内側壁２６の外側底面板２３側の端部からは内側底面板２７が水平方向に延出されている。
【００２３】
このため、内側壁２６は外側壁２４ｂの内面に重ね合わせられ、内側底面板２７は外側底面板２３の内面に重ね合わせられている。
【００２４】
前記外側壁２４ｂのオス端子タブ挿入側の所定範囲は上面板２５よりも所定高さ高く延設され、その端部から係止板２８が水平方向に延出され、外側壁２４ｂの電線加締め部２２側の所定範囲は上面板２５に重なるように折り曲げた折曲部２９が形成されている。
【００２５】
前記係止板２８の中央側の所定範囲には、係止板２８を上面板２５方向に、上面板２５と当接するように所定距離打ち出して打ち出し部３０が形成されている。
【００２６】
外側壁２４ｂから延設された係止板２８および打ち出し部３０によって係止突起体３１を構成している。
【００２７】
前記内側底面板２７には図３、図４に示すようにバネ部３２が形成され、バネ部３２の端部には接点３３が形成されている。
【００２８】
前記接点３３と対向する上面板２５の内側には接点３４、３５が形成され、これら接点３３、３４、３５により図５に示すように箱部２１の内部に挿入されるオス端子タブ３６を挟むことによって、電気的接続が行なわれる。
【００２９】
３７は、外側底面板２３からバネ部３２側に隆起させて形成した隆起部である。
【００３０】
前記打ち出し部３０は打ち出し加工が施されることにより、図４、図５に示すように凹部３０ａと凸部３０ｂが形成されている。
【００３１】
図６は、コネクタハウジングのキャビティ内でメス端子２０が図示破線で示す端子係止ランスと係止された状態を表している。
【００３２】
図７は、図６のＡ−Ａ断面矢視図、図８は図６のＢ−Ｂ断面矢視図を示している。図８の破線部は端子係止ランスを表している。図８における係止板２８の黒塗り部分は係止当接面２８ａを示し、端子係止ランスとの接触面積（係止面積）を表している。
【００３３】
係止板２８は打ち出し部の凸部３０ｂによって支えられるため係止板２８の変形が抑制され、これによって端子係止ランスとの間で安定した係止力（端子保持力）が確保される。
【００３４】
このため、係止板２８の横方向寸法Ｌを上面板２５の幅方向に長く形成しても係止板２８が倒れることはないので、該寸法Ｌを長く形成することにより係止面積（黒塗り部分の係止当接面２８ａの面積）を増加させることができ、これによって端子保持力を向上させることが可能となる。
【００３５】
また、本発明の他の実施形態例では、係止突起体の打ち出し部を、図９〜図１１に示す打ち出し部４０のように、係止板２８の端子係止ランスと当接する側の端部を含めて打ち出して形成した。図９〜図１１において、図１〜図８と同一部分は同一符号をもって示している。
【００３６】
図９は他の実施形態例におけるメス端子２０の箱部２１の斜視図を示し、図１０は、２点鎖線で示す端子係止ランスとの係止状態を表す、箱部２１の縦断面を示し、図１１は図１０のＣ−Ｃ断面矢視図を示している。
【００３７】
これらの図において、４０ａは打ち出し部４０の凹部、４０ｂは打ち出し部４０の凸部を示している。
【００３８】
本実施形態例では係止板２８および打ち出し部４０によって係止突起体４１を構成している。
【００３９】
打ち出し部４０は係止板２８の端子係止ランスと当接する側の端部を含めて打ち出されているため、それによって形成された係止当接面２８ｂの形状は図１１の黒塗り部分に示すように凸部４０ｂを含めた形状となる。
【００４０】
このため、本実施形態例の係止当接面２８ｂは図１〜図８の実施形態例の係止当接面２８ａよりも端子係止ランスとの当接面積（係止面積）が大となり、係止力（端子保持力）を向上させることができる。
【００４１】
すなわち、本実施形態例の係止当接面２８ｂの面積は、係止板２８における凸部４０ｂの領域と、打ち出されていない領域（水平部分）と、前記凸部４０ｂの領域および打ち出されていない領域が連続している部分（傾斜部分）の領域との合計であるので、前記連続している部分の領域の分だけ係止面積が増加し係止力が増加する。
【００４２】
したがって、打ち出し部４０の打ち出し距離、すなわち凸部４０ｂの高さＨを高くすることにより、前記連続している部分（傾斜部分）の領域が増加し、より係止面積が増加して係止力が増加する。
【符号の説明】
【００４３】
２０…メス端子
２１…箱部
２２…電線加締め部
２３…外側底面板
２４ａ，２４ｂ…外側壁
２５…上面板
２６…内側壁
２７…内側底面板
２８…係止板
２８ａ，２８ｂ…係止当接面
２９…折曲部
３０，４０…打ち出し部
３０ａ，４０ａ…凹部
３０ｂ，４０ｂ…凸部
３１，４１…係止突起体
３２…バネ部
３３，３４，３５…接点
３６…オス端子タブ
３７…隆起部
【図１】
2013137949.tif 000003
【図２】
2013137949.tif 000004
【図３】
2013137949.tif 000005
【図４】
2013137949.tif 000006
【図５】
2013137949.tif 000007
【図６】
2013137949.tif 000008
【図７】
2013137949.tif 000009
【図８】
2013137949.tif 000010
【図９】
2013137949.tif 000011
【図１０】
2013137949.tif 000012
【図１１】
2013137949.tif 000013
【図１２】
2013137949.tif 000014
【図１３】
2013137949.tif 000015
【図１４】
2013137949.tif 000016
【図１５】
2013137949.tif 000017